(57)【特許請求の範囲】
【請求項１】
ゴルフ用エアガンにおける圧縮空気圧回路構造であって、
エアコンプレッサと、該エアコンプレッサの後段に装備される効能ユニットと、該効能ユニットの後段に装備されるエアガンとから成り、
該効能ユニットは、中空部を有し上方が開口した筒状体から成る中空ボディと、該中空ボディの中空部に連通する流入口及び排出口を備え且つ該中空ボディの上方開口端を閉塞可能な閉塞ボディと、で構成され、
該効能ユニットにおける中空ボディの中空部には少なくとも抗菌作用を奏する効能剤が充填されて成る効能剤容器が該効能剤容器ごと挿嵌されて成り、
効能剤容器は、中空部を有し上方が開口した筒状体から成る容器本体と、該容器本体の中空部に連通する複数の孔部を備え且つ該容器本体の上方開口端を閉塞可能なキャップ体と、で構成されて成り、
該エアコンプレッサにより生成された圧縮空気は、該効能ユニット内に流入して効能剤の作用により効能が付加され、最終的に該エアガンからシューズその他の装身具へ噴出されることを特徴とするゴルフ用エアガンにおける圧縮空気圧回路構造。
【請求項２】
前記効能剤が、芳香作用を奏することを特徴とする請求項1に記載のゴルフ用エアガンにおける圧縮空気圧回路構造。
【請求項３】
前記エアコンプレッサと前記効能ユニットとの中間に、エアドライヤ、エアフィルタまたは除菌フィルタから選択されるいずれか一以上が装備されていることを特徴とする請求項１または請求項２に記載のゴルフ用エアガンにおける圧縮空気圧回路構造。
【発明の詳細な説明】
【技術分野】
【０００１】
本発明は、ゴルフ用エアガンに関し、詳しくは、該ゴルフ用エアガンにおける圧縮空気圧回路構造に関するものである。
【背景技術】
【０００２】
ゴルフ場において、シューズやズボンに付着した土や砂、芝等を落とすべく、エアコンプレッサ（空気圧縮機）により生成された圧縮空気を吹き付けるエアガンが使用される。ラウンドを終えたプレーヤーのシューズやズボンには、土や砂、芝等が付着しており、特にシューズには底面にスパイク状の突起物が存する為、該スパイクに芝が絡み付いて、エアガンによる圧縮空気の吹き付けをしない限り、容易に落とすことができない。プレーヤーのシューズやズボンに土や砂、芝等が付着したままであると、ラウンドを終えてクラブハウスに入った際に、ハウス内でそれらが自然落下して汚す原因となる。また、そのままの状態でシューズケースに収納することで、該シューズケースが汚れると共に、雑菌等の繁殖などでシューズを傷める原因ともなり得る。したがって、ゴルフにおいて、シューズ並びにクラブハウス内を綺麗に保つためには、エアガンは欠かせないものであり、ラウンドを終えたプレーヤーのシューズやズボンに付着した土や砂、芝等を、クラブハウスに入る事前にエアの吹き付けによって落とすことで、シューズの清潔化が保たれると共に、クラブハウス内を綺麗に保って清掃の省力化を図ることができる。
【０００３】
従来から存するゴルフ用エアガンの主な構造は、エアコンプレッサにより生成された圧縮空気を、配管路を介してエアガンからシューズ等へ吹き付ける構造となっている。エアコンプレッサでの圧縮空気生成の原料は、大気である。大気中には、水蒸気と共に臭気が存在しており、さらに空中に浮遊する常在菌も存在する。そして、この大気を利用して生成した圧縮空気中にも、当然のごとく水蒸気と臭気、常在菌が存在する。
【０００４】
圧縮空気中の水蒸気は、生成の過程で凝縮水たるドレン水を発生させる。該ドレン水は、回路中間で取り除かないと回路末端から放出されることとなり、吹き付け対象たるシューズやズボンを濡らしてしまうばかりか、臭いや雑菌の付着の原因ともなる。また、人によっては、エアガンのノズルをシューズの中やグローブ内に差し入れて、圧縮空気を放出することが行われている。これは、シューズの中もグローブの中も共に、プレー中に生じる汗により蒸れた状態となり易く、そこへ圧縮空気を噴射することで、冷却効果による快感を得られることによるものである。しかしながら、シューズの中やグローブ内への噴射に際し、圧縮空気と共にドレン水も一緒に噴射されてしまうと、シューズやグローブが濡れてしまって、かえって不快な思いをさせてしまうこととなる。
【０００５】
したがって、圧縮空気からドレン水や臭気、常在菌を適切に分離・除去すること、そしてシューズやズボンの表面に付着した土や砂、芝等を落とすだけでなく、シューズやグローブの内部への吹き付けにも適したゴルフ用エアガンが求められるところである。特に、シューズやグローブの内部は、汗で蒸れて雑菌が繁殖し易く、悪臭も発生し易い状況であり、これに好適に対処し得るエアガンが求められるところである。
【０００６】
従来におけるシューズ用の汚れを落とすエアガンとして、特開平８-１８７２１８号公報（特許文献１）において、「履物の汚れを除去する装置」にかかる技術が提案され、公知となっている。すなわち、該提案は、前面側下部において水平方向に張り出した履物の洗い場を有する装置本体の内部に、電動コンプレッサと貯水タンクとを装備し、下面側四隅にキャスタをそれぞれ取り付け、さらにフレキシブルチューブを介して電動コンプレッサに接続されて空気を噴射する空気噴射ノズルと、フレキシブルチューブを介して電動コンプレッサと貯水タンクとのそれぞれに接続されて空気と水との混合流体を噴射する混合流体噴射ノズルを備えた構成を採用するものである。
【０００７】
しかしながら、上記特許文献１にかかる技術提案によれば、空気と水との混合流体を噴射することで履物の汚れを洗い流す技術提案であって、圧縮空気からドレン水や臭気、常在菌を適切に分離・除去するための技術提案ではなく、上記した問題の解決はなされていない。
【先行技術文献】
【特許文献】
【０００８】
【特許文献１】特開平８−１８７２１８号公報
【発明の概要】
【発明が解決しようとする課題】
【０００９】
本発明は、上記問題点に鑑み、抗菌や芳香など各種効能を有した圧縮空気を噴出可能なゴルフ用エアガンの提供を図ることを課題とする。
【課題を解決するための手段】
【００１０】
上記課題を解決するため、本発明は、ゴルフ用エアガンにおける圧縮空気圧回路構造であって、エアコンプレッサと、該エアコンプレッサの後段に装備される効能ユニットと、該効能ユニットの後段に装備されるエアガンとから成り、該効能ユニットは、中空部を有し上方が開口した筒状体から成る中空ボディと、該中空ボディの中空部に連通する流入口及び排出口を備え且つ該中空ボディの上方開口端を閉塞可能な閉塞ボディと、で構成され、該効能ユニットにおける中空ボディの中空部には少なくとも抗菌作用を奏する効能剤が充填されて成る効能剤容器が該効能剤容器ごと挿嵌されて成り、該エアコンプレッサにより生成された圧縮空気は、該効能ユニット内に流入して効能剤の作用により効能が付加され、最終的に該エアガンからシューズその他の装身具へ噴出される手段を採用する。
【００１１】
また、本発明は、前記効能剤が、芳香作用を奏する手段を採用する。
【００１３】
またさらに、本発明は、前記エアコンプレッサと前記効能ユニットとの中間に、エアドライヤ、エアフィルタまたは除菌フィルタから選択されるいずれか一以上が装備されている手段を採用する。
【発明の効果】
【００１４】
本発明にかかるゴルフ用エアガンにおける圧縮空気圧回路構造によれば、抗菌作用を奏する効能剤を充填し得る効能ユニットが配設されることによって、該効能ユニット内に充填された効能剤の作用により、エアガンから噴出される圧縮空気自体に抗菌効能を化体させることができ、シューズ内やグローブ内の雑菌へ有効に作用して、清潔を維持することができる、といった従来にない優れた効果を奏する。
【００１５】
また、本発明にかかるゴルフ用エアガンにおける圧縮空気圧回路構造によれば、効能剤に芳香作用を奏させることによって、シューズ内の悪臭を消して芳香の良い香りを創出することができると共に、グローブ自体の香り付けがなされて、ショットの際など周囲へ芳香を放出させたり、間接的にクラブグリップへの香り付けもできる、といった効果を奏する。
【００１６】
さらに、本発明にかかるゴルフ用エアガンにおける圧縮空気圧回路構造によれば、効能剤が効能剤容器に充填されると共に、該効能剤容器ごと効能ユニットにおける中空ボディの中空部内に挿嵌可能な手段を採ることで、効能剤の充填・交換作業が容易であると共に、該効能ユニットの清掃・メンテナンス性にも優れる、といった効果を奏する。
【００１７】
またさらに、本発明にかかるゴルフ用エアガンにおける圧縮空気圧回路構造によれば、エアコンプレッサと効能ユニットとの中間に、エアドライヤ、エアフィルタまたは除菌フィルタから選択されるいずれか一以上が装備されている手段を採用することで、エアコンプレッサで生成された圧縮空気中に存する水蒸気や常在菌をはじめ、塵埃や機械油分などを適宜取り除くことが可能であって、よりクリーンなエアを噴出することができる、といった優れた効果を奏する。
【図面の簡単な説明】
【００１８】
【図１】本発明にかかるゴルフ用エアガンにおける圧縮空気圧回路構造の実施形態を示す説明図である。
【図２】本発明にかかる効能剤容器の実施形態を示す説明図である。
【図３】本発明にかかるゴルフ用エアガンの使用態様を示す説明図である。
【発明を実施するための形態】
【００１９】
本発明にかかるゴルフ用エアガンにおける圧縮空気圧回路構造は、エアコンプレッサ１と、該エアコンプレッサ１の後段に装備される効能ユニット１０と、該効能ユニット１０の後段に装備されるエアガン２０とから成り、該効能ユニット１０は、中空部１２を有し上方が開口した筒状体から成る中空ボディ１１と、該中空ボディ１１の中空部１２に連通する流入口１４及び排出口１５を備え且つ該中空ボディ１１の上方開口端を閉塞可能な閉塞ボディ１３と、で構成され、該効能ユニット１０における中空ボディ１１の中空部１２には少なくとも抗菌作用を奏する効能剤１６が充填されて成る効能剤容器１８が該効能剤容器１８ごと挿嵌されて成り、該エアコンプレッサ１により生成された圧縮空気Ａは、該効能ユニット１０内に流入して効能剤１６の作用により効能が付加され、最終的に該エアガン２０からシューズその他の装身具へ噴出されることを最大の特徴とする。
以下、本発明にかかるゴルフ用エアガンにおける圧縮空気圧回路構造の実施形態、すなわち、構成と動作とを、図面に基づいて説明する。
【００２０】
なお、本発明にかかるゴルフ用エアガンにおける圧縮空気圧回路構造は、以下に述べる実施形態に特に限定されるものではなく、本発明の技術的思想の範囲内、すなわち同一の作用効果を発揮できる機器や該機器の素材もしくは形状などに関して適宜変更することができる。
【００２１】
先ず、本発明にかかるゴルフ用エアガンにおける圧縮空気圧回路構造の構成について説明する。図１及び図２は、本発明にかかるゴルフ用エアガンにおける圧縮空気圧回路構造の実施形態を示す説明図である。
本発明にかかるゴルフ用エアガンにおける圧縮空気圧回路構造は、エアコンプレッサ（空気圧縮機）１と、効能ユニット１０と、エアガン２０と、で構成されており、効能ユニット１０は圧縮空気Ａを送気する配管路５を介してエアコンプレッサ１の後段に装備され、エアガン２０は同様に配管路５を介して効能ユニット１０の後段に装備される。
【００２２】
エアコンプレッサ（空気圧縮機）１は、空気を圧縮して所定気圧以上の圧縮空気Ａを生成する装置である。該エアコンプレッサ１にはアースが備えられ、エアコンプレッサ１の筐体の基準電位を得る目的やノイズ保護の目的で、直接もしくは電源線などと共に束ねられ最終的に大地に接続される。
エアコンプレッサ１は、圧縮空気Ａを生成するための構造によって、往復式や回転式、遠心式、軸流式など種々の方式が存在する。また、前記種々の方式においては、潤滑油を使用する給油タイプと、潤滑油を使用しないオイルフリータイプとがそれぞれ存在している。本発明で使用するエアコンプレッサ１の方式については、特に限定はなく、いずれの方式・構造のものでも使用することが可能である。
【００２３】
効能ユニット１０は、中空ボディ１１と、閉塞ボディ１３と、から構成されている。中空ボディ１１は、中空部１２を有し上方が開口した筒状体から成り、該中空部１２には所定量の効能剤１６が充填されて成る効能剤容器１８が該効能剤容器１８ごと挿嵌される。また、閉塞ボディ１３は、該中空ボディ１１の中空部１２に連通する流入口１４及び排出口１５を備え、且つ、該中空ボディ１１の上方開口端を螺合等により閉塞可能な構造を採る。
尚、効能剤１６は、閉塞ボディ１３から中空ボディ１１を外して効能剤容器１８を挿嵌することで、中空部１２内に随時補充することができる。
【００２４】
効能剤１６は、図１に示す様に、該効能ユニット１０における中空ボディ１１の中空部１２に挿嵌可能な効能剤容器１８の中空部１８ｄに充填される。かかる効能剤１６について、その状態・形状については液状や固形状などが考えられる。該効能剤１６としては、少なくとも抗菌作用を奏する抗菌剤が用いられるもので、特に限定するものではなく、例えばアルコールやクレゾール、次亜塩素ナトリウム、ヒノキチオールなど種々のものが考え得る。但し、最終的な圧縮空気Ａの噴出先がグローブなど人体に直接接触するものも含まれることから、人体に無害な抗菌剤が選択されることが好ましい。また、抗菌剤は、シューズ等へクリーンなエアを噴出するという機能上、圧縮空気Ａ中に存する常在菌を死滅・除去し得る除菌剤や殺菌剤をも含む概念である。
【００２５】
該効能剤１６において、芳香作用を奏する芳香剤が含まれる態様が考え得る。すなわち、効能剤１６が、抗菌作用と併せて芳香作用も奏する態様である。かかる態様として、夫々別の単体として構成される抗菌剤と芳香剤とを適宜混合若しくは区割り別に夫々充填して一の効能剤１６として機能させる態様のほか、元来より両方の作用を併せ持つ一の効能剤１６を使用する態様が考え得る。別の単体として構成される芳香剤としては、例えば花や樹木その他種々の芳香を奏するもののほか、消臭作用のあるアルコールや次亜塩素ナトリウムなどが考え得る。但し、最終的な圧縮空気Ａの噴出先がグローブなど人体に直接接触するものも含まれることから、人体に無害な芳香剤が選択されることが好ましい。また、芳香剤は、圧縮空気Ａの嫌な臭気を消して好む芳香を奏するという機能上、種々の芳香を奏するもののほか、特定の芳香を奏さずに嫌な臭気を消臭し得るだけの消臭剤をも含む概念である
【００２６】
本発明にかかる効能剤１６について、抗菌作用と芳香作用を併せ持つ基剤を用いる態様がより好適である。抗菌作用と芳香作用を併せ持つ基剤としては、例えばヒノキやヒバ材から生成される天然ヒノキチオールやβ−ドラブリンを主成分とする基剤が考え得る。かかる天然ヒノキチオールは、カビをはじめ多くの菌に対する抗菌性を有すると共に、ヒノキの心地よい芳香を持ち、人体にも無害な基剤として好適である。特に、水虫菌にも効果的といわれており、その意味でもシューズ内への噴出に非常に好適である。
【００２７】
該効能ユニット１０には、ドレントラップ３０が備えられている態様が考え得る。該ドレントラップ３０は、圧縮空気Ａが冷却され、該圧縮空気Ａに水蒸気の状態で含有される水分が凝縮されることで、効能ユニット１０内に発生するドレン水Ｄを排出するために備えられる。ドレントラップ３０を効能ユニット１０の下部に備えることで、滞留するドレン水Ｄにおける菌やウイルスの増殖を防止して臭気の発生・増大を抑制することができると共に、回路システムのメンテナンス性向上に資する。ドレントラップ３０は、電磁式、フロート式、ディスク式などが考えられる。本発明で使用するドレントラップ３０の種別については、特に限定されるものではない。
【００２８】
効能ユニット１０における効能剤１６の充填態様について、図１に示す様に、効能剤１６が充填された効能剤容器１８を中空部１２に挿嵌する態様を採用する。効能剤容器１８は、中空部１８ｄを有し上方が開口した筒状体から成る容器本体１８ａと、該容器本体１８ａの中空部１８ｄに連通する孔部１８ｃを備え且つ該容器本体１８ａの上方開口端を閉塞可能なキャップ体１８ｂと、で構成されている。かかる態様により、閉塞ボディ１３から中空ボディ１１を外すことで、効能剤容器１８について、中空部１２内に随時装填・交換することができる。
【００２９】
効能剤容器１８は、図２において具体的態様が示されている様に、容器本体１８ａと、キャップ体１８ｂと、から構成されている。容器本体１８ａは、中空部１８ｄを有し上方が開口した筒状体から成り、該中空部１８ｄには所定量の液状の効能剤１６が充填されている。尚、図示の様に、該中空部１８ｄ内において、効能剤１６を浸透して毛細現象により吸い上げる芯材１８ｅが装填される態様が好適である。また、キャップ体１８ｂは、容器本体１８ａの上方開口端を螺合等により閉塞可能な構造となっており、且つ、容器本体１８ａ外へ効能剤１６を放出するべく、該容器本体１８ａの中空部１８ｄに連通した孔部１８ｃが備えられて成る。
【００３０】
効能剤容器１８におけるキャップ体１８ｂに備えられる孔部１８ｃの数については、特に限定するものではないが、好ましくは複数の孔部１８ｃが備えられ、より好ましくは２乃至４の孔部１８ｃが備えられる。尚、図面では、キャップ体１８ｂに該孔部１８ｃを４つ備えた場合について示している。このように、複数の孔部１８ｃを備える場合、各孔部１８ｃには剥離可能なシール材１８ｆが貼着されている。かかる態様を採用することで、シール材１８ｆの剥離数を変更することで、連通する孔部１８ｃの数を任意に変えることが可能となり、抗菌作用や芳香作用の強度を適宜変更することが可能である。
【００３１】
エアガン２０は、その具体的構造について特に限定はなく、常法のものを使用すれば足りる。すなわち、常法の構成として、把持部の先端にエア噴出ノズルが備えられ、把持部にはエア噴出のＯＮ／ＯＦＦスイッチが備えられた態様となっている。
【００３２】
以上で構成される本発明にかかるゴルフ用エアガンにおける圧縮空気圧回路構造において、図示の様に、エアコンプレッサ１と効能ユニット１０との中間に、エアドライヤ２、エアフィルタ３または除菌フィルタ４から選択されるいずれか一以上が装備された態様を採用し得る。
【００３３】
エアドライヤ２は、圧縮空気Ａを乾燥させ水分を取り除くための機器であって、水分の除去方式により、冷凍式や中空糸膜式、吸着式などが存在する。本発明で使用するエアドライヤ２は、冷凍式や中空糸膜式、吸着式のいずれかを問うものではなく、特に限定されるものではないが、一般に繁用されているのは、冷凍式のエアドライヤ２である。冷凍式のエアドライヤ２は、冷媒の蒸発潜熱を利用して、圧縮空気Ａを冷却し、含有水分を凝縮して除去するための装置であって、比較的安価に導入することができる。
【００３４】
エアフィルタ３は、圧縮空気Ａ中の水分や油分、スラッジや微生物を除去するためのフィルタであって、例えば樹脂製若しくは紙製で網状乃至中空糸膜状のエアフィルタエレメント３ａ、若しくは、活性炭を包んだエアフィルタエレメント３ａが内蔵されている。該エアフィルタ３は、前記エアドライヤ２の後段に配設されるのが一般的である。
【００３５】
除菌フィルタ４は、圧縮空気Ａに含有する常在菌（菌やウイルス）を分離・除去するためのフィルタであって、例えば筒状体で、底面を閉鎖、上面を開口、側面に濾材を配した形状から成る除菌フィルタエレメント４ａが内蔵されている。該除菌フィルタエレメント４ａは、必要に応じて着脱・交換可能である。このとき、該除菌フィルタエレメント４ａの上面中央部に圧縮空気Ａの排出口が連通すると共に、除菌フィルタエレメント４ａの外側に圧縮空気Ａの流入口が連通する構成を採る。かかる構成を採用することにより、圧縮空気Ａを除菌フィルタエレメントの外側から内側へ通気させることが可能となる。該除菌フィルタ４は、異物を除去した圧縮空気Ａを最終的に除菌すべく、前記エアフィルタ３の後段に配設される。
【００３６】
上記したエアドライヤ２、エアフィルタ３並びに除菌フィルタ４には、各々ドレントラップ３０が備えられている態様が好適である。該ドレントラップ３０は、圧縮空気Ａを冷却し、該圧縮空気Ａに水蒸気の状態で含有される水分を凝縮することで、エアドライヤ２内に発生するドレン水Ｄを排出するために備えられる。ドレントラップ３０をエアドライヤ２やエアフィルタ３、除菌フィルタ４の下部に備えることで、滞留するドレン水Ｄにおける菌やウイルスの増殖を防止して臭気の発生・増大を抑制することができると共に、回路システムのメンテナンス性向上に資する。ドレントラップ３０は、電磁式、フロート式、ディスク式などが考えられる。本発明で使用するドレントラップ３０の種別については、特に限定されるものではない。
【００３７】
本発明にかかるゴルフ用エアガンにおける圧縮空気圧回路構造において、上記各構成要素間は配管路５を介して接続されている。該配管路５は、圧縮空気Ａを送気するための中空管であって、その素材について特に限定はないが、エアコンプレッサ１から効能ユニット１０の間は、例えば銅や鉄などの主に金属素材より成る略剛性の配管から成り、効能ユニット１０からエアガン２０の間は、例えばゴムやポリエチレン、塩ビ製の樹脂管あるいは炭素繊維やガラス繊維から成る繊維管など略柔軟性の配管で構成される。尚、エアガン２０の前段は、必要に応じて所定中間箇所から略柔軟性の配管とする態様であってもよい。
【００３８】
ところで、エアドライヤ２から効能ユニット１０までの配管路５について、短ければ短いほど好適である。なぜなら、エアドライヤ２を通過した圧縮空気Ａとはいえ水蒸気含有量はゼロではなく、よって当該圧縮空気Ａがその後に配管路５を通過する際にも冷却作用によるドレン水Ｄの発生が想定されるため、できることなら当該配管路５でのドレン水Ｄの発生を抑制し得るべく、可能な限り短く設定することが好ましいからである。このことは、中間にエアドライヤ２、エアフィルタ３並びに除菌フィルタ４が装備された場合であっても同様である。
【００３９】
次いで、本発明にかかるゴルフ用エアガンにおける圧縮空気圧回路構造の動作、並びに、該ゴルフ用エアガンの使用態様について説明する。尚、説明の便宜上、エアコンプレッサ１と効能ユニット１０との中間に、エアドライヤ２、エアフィルタ３並びに除菌フィルタ４が装備された場合、並びに、効能剤１６として抗菌作用と芳香作用を併せ持つ場合について説明する。これらを有していない場合については、当該部分を省略して解するものとする。
【００４０】
エアコンプレッサ１は、空気である大気を吸気し、所定圧へと圧縮させる。前記大気には、水蒸気と共に常在菌（菌やウイルス）と臭気が含まれている。エアコンプレッサ１で製造された圧縮空気Ａは、この段階では圧縮熱を帯びているため、直ちにはドレン水Ｄの発生はない。
【００４１】
次いで、圧縮空気Ａは、配管路５を通過する。この際、圧縮空気Ａは、配管路５外部の周囲温度に向かう方向で冷却される。かかる冷却により、圧縮空気Ａから凝縮水であるドレン水Ｄが発生する。
【００４２】
配管路５を通過した圧縮空気Ａは、当該配管路５で発生したドレン水Ｄと共に、その後段に備えられるエアドライヤ２に入気される。エアドライヤ２に入気された圧縮空気Ａは、プリクーラーで予冷された後にエバポレータ内部の熱交換器を蛇行又は衝突をするなどして流路の変更を大きく受けながら通過して冷却される。かかる冷却によって、圧縮空気Ａから積極的に凝縮水であるドレン水Ｄが分離・除去される。かかるドレン水Ｄは、ドレントラップ３０により外部へと適宜排出される。
【００４３】
次いで、圧縮空気Ａは、配管路５を通過し、その後段に備えられるエアフィルタ３に入気される。エアフィルタ３へ入気された圧縮空気Ａは、中内蔵されたエアフィルタエレメント３ａを通過することで、水分や油分、スラッジや微生物が除去され、後段へと排出される。
尚、配管路５を通過する際やエアフィルタ３内で発生したドレン水Ｄは、ドレントラップ３０により外部へと適宜排出される。
【００４４】
次いで、圧縮空気Ａは、配管路５を通過し、その後段に備えられる除菌フィルタ４に入気される。除菌フィルタ４へ入気された圧縮空気Ａは、中内蔵された除菌フィルタエレメント４ａを通過することで除菌され、後段へと排出される。
尚、配管路５を通過する際や除菌フィルタ４内で発生したドレン水Ｄは、ドレントラップ３０により外部へと適宜排出される。
【００４５】
次いで、圧縮空気Ａは、配管路５を通過し、その後段に備えられる効能ユニット１０に流入口１４を介して入気される。効能ユニット１０へ入気された圧縮空気Ａは、中空ボディ１１の中空部１２内に挿嵌された効能剤容器１８内に充填された効能剤１６に接触することで、抗菌作用や芳香作用など自ら効能化されると共に、効能剤１６の気化粒子など成分を担持しつつ、排出口１５より外部へと適宜排出される。
尚、配管路５を通過する際や効能ユニット１０内で発生したドレン水Ｄは、ドレントラップ３０により外部へと適宜排出される。
【００４６】
効能ユニット１０を通過した圧縮空気Ａは、図３に示す様に、配管路５を通過し、その後段に備えられるエアガン２０を介して、ゴルフの用途すなわちシューズその他の装身具への噴出に供される。
【産業上の利用可能性】
【００４７】
本発明は、「発明の効果」記載の通り、多くの優れた効果を奏するものである。特に、ゴルフにおいて、通常の機能である土や砂、芝等を装身具から圧縮空気により吹き落すだけでなく、シューズやグローブ内に噴出することで、抗菌作用によりシューズ内等の雑菌の繁殖が抑制され、清潔に保たれると共に、悪臭などの不快な香りを消して好適な芳香を放つことで、心地良い気分を醸し出すことが可能なものである。したがって、本発明にかかる「ゴルフ用エアガンにおける圧縮空気圧回路構造」の産業上の利用可能性は大であると思料する。
【符号の説明】
【００４８】
１    エアコンプレッサ（空気圧縮機）
２    エアドライヤ
３    エアフィルタ
３ａ  エアフィルタエレメント
４    除菌フィルタ
４ａ  除菌フィルタエレメント
５    配管路
１０    効能ユニット
１１    中空ボディ
１２    中空部
１３    閉塞ボディ
１４    流入口
１５    排出口
１６    効能剤
１８    効能剤容器
１８ａ  容器本体
１８ｂ  キャップ体
１８ｃ  孔部
１８ｄ  中空部
１８ｅ  芯材
１８ｆ  シール材
２０    エアガン
３０    ドレントラップ
Ａ    圧縮空気
Ｄ    ドレン水
Ｖ    常在菌（菌やウイルス）
【図１】
0006892140.tif 000002
【図２】
0006892140.tif 000003
【図３】
0006892140.tif 000004